(57)【要約】      （修正有）【課題】提供されたコンテンツデータを利用して特定の通信端末間における対話通信を確立する。【解決手段】異なる複数の通信手段を有する端末装置１と、端末装置１から送り込まれた要求データに応じてコンテンツデータの提供するウェブサーバ３と、端末装置１およびウェブサーバ３相互間の通信データの中継転送を行うゲートウェイ２を備え、ゲートウェイ２は、端末装置１利用者の認証判定が成功した場合に、コンテンツデータ内の変換用データを特定の通信相手先を示す情報へとデータ変換を行うデータ処理装置を有し、端末装置１は、一の通信チャネルを介して取得したコンテンツデータのデータ変換内容を利用して他の通信チャネルを介して上記通信相手先としての相手端末３０との対話通信を確立する通信制御部を備えた。【選択図】図１
2012160975.tif 000002
【特許請求の範囲】
【請求項１】
通信データの中継を行う通信中継装置に対して接続した端末装置と、前記端末装置から前記通信中継装置を介して送り込まれた要求メッセージに応じてコンテンツデータの提供を行うウェブサーバとを備えた対話通信制御システムであって、
前記通信中継装置は、
前記ウェブサーバから前記通信データとして送り込まれた前記コンテンツデータを解析し予め設定された特定のタグデータを抽出する解析部と、
特定の通信端末との対話通信を行うことが許容された端末装置がリスト化された対話通信許可端末リストを記憶保持するリスト記憶部と、
前記通信データ内容に基づき前記端末装置利用者の認証判定を行う認証判定部と、
前記認証判定が成功した場合に、前記特定のタグデータを前記対話通信許可端末リストに基づき前記端末装置利用者の通信接続先を示す通信先指定情報へと置換するデータ変換部とを備え、
前記端末装置は、
前記提供されたコンテンツデータに前記通信先指定情報が含まれている場合に、前記通信先指定情報を利用して前記特定の通信端末との対話通信を開始する対話通信起動部を備えたことを特徴とする対話通信制御システム。
【請求項２】
請求項１に記載の対話通信制御システムにおいて、
前記認証判定部は、前記コンテンツデータの内容に基づき当該コンテンツデータが提供される前記端末装置利用者の認証判定を行うコンテンツデータ判定機能を備えたことを特徴とする対話通信制御システム。
【請求項３】
請求項１に記載の対話通信制御システムにおいて、
前記認証判定部は、前記端末装置から要求メッセージの内容に基づき前記端末装置利用者の認証判定を行う要求メッセージ判定機能を備えたことを特徴とする対話通信制御システム。
【請求項４】
請求項１に記載の対話通信制御システムにおいて、
前記通信中継装置は、前記端末装置から電話帳データが送り込まれた場合に当該電話帳データに基づき前記認証判定用のユーザリストを生成するユーザリスト生成手段を備えたことを特徴とする対話通信制御システム。
【請求項５】
請求項４に記載の対話通信制御システムにおいて、
前記ユーザリスト生成手段が、前記電話帳データに含まれる特定のグループに所属するユーザの連絡先を前記通信相手として前記通信相手リストに登録する通信相手登録機能を備えたことを特徴とする対話通信制御システム。
【請求項６】
請求項１に記載の対話通信制御システムにおいて、
前記端末装置は、前記提供されたコンテンツデータを表示する表示部と、
通信相手が指定された場合に当該通信相手に対して通信呼を送信する通信呼手段とを有し、
前記表示部に表示されたコンテンツデータにおける前記通信先指定情報が選択指定された場合に、
前記通信呼手段を起動する通信動作起動手段とを備えたことを特徴とする対話通信制御システム。
【請求項７】
コンテンツデータを通信中継装置を介して端末装置に提供するウェブサーバを有する対話通信制御システムにあって、前記コンテンツデータに含まれる通信先指定情報を利用して前記端末装置が予め設定された通信端末との対話通信を開始する対話通信制御方法であって、
前記通信中継装置は、前記ウェブサーバから送り込まれた前記コンテンツデータを解析し予め設定された特定のタグデータを抽出し、
特定の通信端末との対話通信を行うことが許容された端末装置がリスト化された対話通信許可端末リストに基づき前記コンテンツデータの転送先としての前記端末装置利用者の認証判定を行い、
前記認証判定が成功した場合に、前記抽出された特定のタグデータを前記対話通信許可端末リストに基づき前記端末装置利用者の通信接続先を示す通信先指定情報へと置換し、
前記端末装置が、前記提供されたコンテンツデータに前記通信先指定情報が含まれている場合に、前記通信先指定情報を利用して前記特定の通信端末との対話通信を開始することを特徴とする対話通信制御方法。
【請求項８】
コンテンツデータを通信中継装置を介して端末装置に提供するウェブサーバを有する対話通信制御システムにあって、前記端末装置が前記提供されたコンテンツデータに挿入された前記通信先指定情報を利用して前記特定の通信端末との対話通信を開始するための対話通信制御プログラムであって、
前記ウェブサーバから送り込まれた前記コンテンツデータを解析し予め設定された特定のタグデータを抽出する解析機能と、
特定の通信端末との対話通信を行うことが許容された端末装置がリスト化された対話通信許可端末リストに基づき前記コンテンツデータの転送先としての前記端末装置利用者の認証判定を行う認証判定機能と、
前記認証判定が成功した場合に、前記抽出された特定のタグデータを前記対話通信許可端末リストに基づき前記端末装置利用者の通信接続先を示す通信先指定情報へと置換するデータ変換機能と、
を前記通信中継装置の備えたコンピュータに実現させることを特徴とした対話通信制御プログラム。
【発明の詳細な説明】
【技術分野】
【０００１】
本発明は、異なる通信機器間における対話通信の接続制御を行う通信接続制御システムに関する。
【背景技術】
【０００２】
ＷｅｂページなどのＷｅｂコンテンツを閲覧しているときに、閲覧者がコンテンツに関する質問や感想を述べるために、閲覧中のＷｅｂコンテンツの作成者やコンテンツデータの所有者（以下、コンテンツ所有者）との対話通信（コミュニケーション通信）を行いたい場合がある。
これに対して、予めＷｅｂコンテンツ内に＜Ａ  ｈｒｅｆ＝”ｔｅｌ：０３１２３４５６７８”＞や＜Ａ  ｈｒｅｆ=”ｍａｉｌｔｏ：  ｗｅｂｍｓｔ＠ｗｗｗ．ｘｘｘ．ｃｏ．ｊｐ”＞といったＨＴＭＬのタグ形式で電話番号やメールアドレスを挿入しておくことにより、コンテンツ所有者の利用している携帯電話などに対して電話することやメールアドレスへの発信することを可能とする関連技術が開示されている（特許文献1、非特許文献１）。
【０００３】
上記関連技術では、Ｗｅｂページの閲覧に利用している端末装置でＷｅｂコンテンツを閲覧しているときに、閲覧者が閲覧中のＷｅｂコンテンツに含まれる特定のオブジェクトを選択指定することで、予め登録された電話番号に対して電話接続要求が発呼され、コンテンツの閲覧者が利用する電話機と端末装置とで通話を行うことが可能となる。
【０００４】
これに対する関連技術として、アクセスが許容されたユーザをリスト化したアドレス帳に基づきコンテンツデータの公開レベルを設定するシステムが開示されている（特許文献２）。
また、関連技術として、顧客情報や在庫情報などの検索を行う検索システムを利用するための利用者登録を行い、各利用者について、利用レベルを設定するシステムが開示されている（特許文献３）。
【０００５】
また、関連技術として、利用が許可された場合に、必要な検索要求情報を入力した電子メールのパケットを作成し、登録済みの携帯端末に対してメール作成画面、アクティベーション番号、電子メールアドレスを入力し、電子メール送信を行うシステムが開示されている（特許文献４）。
【先行技術文献】
【特許文献】
【０００６】
【特許文献１】特許４４４５７２８号
【特許文献２】再特WO２００７０２６８１０号公報
【特許文献３】特開２００４−２９５４１８号公報
【特許文献４】特開２０１０−０９７３６８号公報
【非特許文献】
【０００７】
【非特許文献１】ｉモード対応ＨＴＭＬタグ一覧 http://www.nttdocomo.co.jp/service/imode/make/content/browser/html/tag/a.html
【発明の概要】
【発明が解決しようとする課題】
【０００８】
しかしながら、上記特許文献１および非特許文献１に記載の関連技術では、対話通信が許容される閲覧者を限定することができないため、Ｗｅｂコンテンツの閲覧者は誰であっても、コンテンツ所有者との対話通信を開始することが可能であり、対話通信を可能な閲覧者を限定することができないという不都合がある。
【０００９】
また、上記特許文献２〜４を組み合わせた内容では、ネットワークを介してアクセスすることにより利用する特定のサービス（コンテンツ閲覧など）について、サービスを利用可能なユーザを限定することは可能であるが、自己端末との対話通信の許可／不許可をサービス利用者ごとに設定することができないという不都合がある。
【００１０】
［発明の目的］
本発明は、上記関連技術の有する不都合を改善し、コンテンツ閲覧時に予め設定された通信端末との直接対話通信を開始し得る対話通信制御システム、対話通信制御方法、および対話通信制御プログラムを提供することを、その目的とする。
【課題を解決するための手段】
【００１１】
上記目的を達成するため、本発明に係る備えた構成を有する。
本発明に係る対話通信制御システムは、通信データの中継を行う通信中継装置に接続した端末装置と、前記端末装置から前記通信中継装置を介して送り込まれた要求メッセージに応じてコンテンツデータの提供を行うウェブサーバとを備えた対話通信制御システムであって、前記通信中継装置は、前記ウェブサーバから前記通信データとして送り込まれた前記コンテンツデータを解析し予め設定された特定のタグデータを抽出する解析部と、特定の通信端末との対話通信を行うことが許容された端末装置がリスト化された対話通信許可端末リストを記憶保持するリスト記憶部と、前記通信データ内容に基づき前記端末装置利用者の認証判定を行う認証判定部と、前記認証判定が成功した場合に、前記特定のタグデータを前記対話通信許可端末リストに基づき前記端末装置利用者の通信接続先を示す通信先指定情報へと置換するデータ変換部とを備え、前記端末装置は、前記提供されたコンテンツデータに前記通信先指定情報が含まれている場合に、前記通信先指定情報を利用して前記特定の通信端末との対話通信を開始する対話通信起動部を備えたことを特徴としている。
【００１２】
また、本発明に係る対話通信制御方法は、コンテンツデータを通信中継装置を介して端末装置に提供するウェブサーバを有する対話通信制御システムにあって、前記コンテンツデータに含まれる通信先指定情報を利用して前記端末装置が予め設定された通信端末との対話通信を開始する対話通信制御方法であって、前記通信中継装置は、前記ウェブサーバから送り込まれた前記コンテンツデータを解析し予め設定された特定のタグデータを抽出し、特定の通信端末との対話通信を行うことが許容された端末装置がリスト化された対話通信許可端末リストに基づき前記コンテンツデータの転送先としての前記端末装置利用者の認証判定を行い、前記認証判定が成功した場合に、前記抽出された特定のタグデータを前記対話通信許可端末リストに基づき前記端末装置利用者の通信接続先を示す通信先指定情報へと置換し、前記端末装置が、前記提供されたコンテンツデータに前記通信先指定情報が含まれている場合に、前記通信先指定情報を利用して前記特定の通信端末との対話通信を開始することを特徴としている。
【００１３】
また、本発明に係る対話通信制御プログラムは、コンテンツデータを通信中継装置を介して端末装置に提供するウェブサーバを有する対話通信制御システムにあって、前記端末装置が前記提供されたコンテンツデータに挿入された前記通信先指定情報を利用して前記特定の通信端末との対話通信を開始するための対話通信制御プログラムであって、前記ウェブサーバから送り込まれた前記コンテンツデータを解析し予め設定された特定のタグデータを抽出する解析機能と、特定の通信端末との対話通信を行うことが許容された端末装置がリスト化された対話通信許可端末リストに基づき前記コンテンツデータの転送先としての前記端末装置利用者の認証判定を行う認証判定機能と、前記認証判定が成功した場合に、前記抽出された特定のタグデータを前記対話通信許可端末リストに基づき前記端末装置利用者の通信接続先を示す通信先指定情報へと置換するデータ変換機能とを前記通信中継装置の備えたコンピュータに実現させることを特徴としている。
【発明の効果】
【００１４】
本発明は、上述したように、端末装置１から送り込まれた要求データに応じてコンテンツデータの提供するウェブサーバ３と、端末装置１およびウェブサーバ３相互間の通信データの中継転送を行うゲートウェイ２を備え、ゲートウェイ２が、アクセスした端末装置１利用者が予めアクセス許可されたユーザであるか否かを判定するユーザ判定（認証判定）に成功した場合、コンテンツデータ内の変換用データを特定の通信相手先を示す情報へとデータ変換を行うデータ処理装置２１を備え、端末装置１は、取得したコンテンツデータのデータ変換内容を利用して特定の通信相手との対話通信を確立する構成を備えたことにより、提供されたコンテンツデータを利用して特定の通信端末間における対話通信を確立することを可能とする対話通信制御システム、対話通信制御方法、および対話通信制御プログラムを提供することができる。
【図面の簡単な説明】
【００１５】
【図１】本発明である対話通信制御システムの一実施形態を示す概略ブロック図である。
【図２】図１で示した対話通信制御システムにおけるゲートウェイの内部構成の一例を示す概略ブロック図である。
【図３】図１で示した対話通信制御システムにおけるＷｅｂサーバにコンテンツをアップロードされる動作工程を示すフローチャートである。
【図４】図１で示した対話通信制御システムにおける端末装置と相手端末との対話通信が確立されるまでの動作処理ステップを示すフローチャートである。
【図５】本発明である対話通信制御システムの一実施形態を示す概略ブロック図である。
【図６】図５で示した対話通信制御システムにおけるＷｅｂサーバにコンテンツをアップロードされる動作工程を示すフローチャートである。
【図７】図５で示した対話通信制御システムにおける電話帳データから許可ユーザリストを生成する動作工程を示すフローチャートである。
【図８】図８（ａ）は、図１で示した対話通信制御システムにおけるタグ払い出しリストの一例を示す説明図である。図８（ｂ）は、図１で示した対話通信制御システムにおける許可ユーザリストの一例を示す説明図である。
【図９】図１で示した対話通信制御システムにおけるコンテンツデータに含まれる変換用タグと対話通信先指定タグとの対応を示す置換データテーブルの一例を示す説明図である。
【発明を実施するための形態】
【００１６】
［実施形態１］
次に、本発明を実施するための実施形態１について図面を参照して説明する。
実施形態１としての対話通信制御システムは、図１に示すように、通信回線を介して送り込まれた要求データに応じて予め記憶保持するコンテンツデータの提供行うウェブサーバ（Ｗｅｂサーバ）３と、Ｗｅｂサーバ３に対してコンテンツデータの要求メッセージ（要求データ）を送信し、提供されたコンテンツデータを利用する端末装置１と、端末装置１から送り込まれた要求データおよびＷｅｂサーバ３から送り込まれたコンテンツデータそれぞれの中継転送を行うゲートウェイ装置（通信中継装置）２を備えた構成を有する。
【００１７】
端末装置１は、Ｗｅｂサーバ３が提供するコンテンツデータの所有者（コンテンツ所有者）が利用している端末としての相手端末３０と、事業者データネットワークにおけるゲートウェイ２に対して、それぞれ異なる通信チャネルを介して通信を行う通信手段を有する。
【００１８】
また、端末装置１は、ゲートウェイ装置（以下「ゲートウェイ」という）２を介して提供されたコンテンツデータの出力表示を行う表示部と、端末装置１利用者からの入力操作により通信相手である通信端末（例えば、相手端末３０）が指定された場合に、通信手段を利用して、指定された通信端末に対して通信呼（通信開始要求）を送信する通信制御部を有する。
尚、端末装置利用者からの入力操作は、例えば、表示部に表示された通信相手（ここでは、相手端末３０とする）の連絡先リンクを選択指定するポインタ操作、クリック、タップなどの入力動作を示す。
これにより、通信制御部が相手端末３０に対して通信呼を送信する機能を起動することにより、相手端末３０との対話通信が確立される。
【００１９】
更に、端末装置１は、取得したコンテンツデータ内容の解析を行うと共に、このコンテンツデータにゲートウェイ２による対話通信用のデータ変換処理が行われているか否かを判定するデータ変換判定部を備えている。
データ変換判定部は、コンテンツデータのデータ内容に対するデータ変換が行われた箇所を特定し、変換されたデータが対話通信開始するためのタグデータであるか否かを確認する、つまり、コンテンツデータに対話通信開始用のタグデータが含まれているか否かの判定を行う。
端末装置１の通信制御部は、そのデータ変換内容（タグデータ）に対する選択指定動作（入力操作）を行うことにより、指定された通信相手（例えば、相手端末３０）との対話通信を開始する（対話通信起動機能）。
尚、上記対話通信は、具体的には、Ｅ−ｍａｉｌ、電話、ＩＰ電話、ピアツーピア通信などを示すものとする。
【００２０】
本実施形態における端末装置１は、例えば、一般の携帯電話であるものとする。端末装置（携帯電話）１は、事業者データネットワーク（図１）に対して通信接続されており、また、事業者データネットワークはゲートウェイ２を介してインターネットに接続されているものとする。
このため、端末装置１は、事業者データネットワークのゲートウェイ２、およびインターネットを介してＷｅｂサーバ３と通信を行う。
【００２１】
相手端末３０は、コンテンツ所有者が利用している通信端末であって、コンテンツ所有者の操作により、ブログエントリなどのコンテンツデータを作成すると共に、このコンテンツデータをＷｅｂサーバ３にアップロードすることが可能な通信端末装置であってもよい。
ここで、相手端末３０によりＷｅｂサーバ３にアップロードされたコンテンツデータは、インターネット上に公開された状態となる。
【００２２】
コンテンツ所有者は、事業者データネットワークに通信接続した通信端末を利用して、相手端末３０に対する対話通信を行うことを許可するユーザ（例えば、ユーザＢおよびＣ）のユーザＩＤ（電話番号）を、予めゲートウェイ２に登録する。
尚、相手端末３０は、ゲートウェイ２に対して対話通信を行うことを許可するユーザ（例えば、ユーザＢおよびＣ）のユーザＩＤ（電話番号）を登録用に送信する許可ユーザ登録要求機能を備えた構成であってもよい。
【００２３】
このとき、ゲートウェイ２は、許可ユーザ登録の要求元（ここでは、相手端末３０）に対して、要求元のＩＤ（ここでは、電話番号）に対応付けたタグデータを払い出す。
尚、ゲートウェイ２は、払い出し先としての相手端末３０の電話番号「０９０−５５５５−６６６６」と払い出したタグとの対応を示すタグ払い出しリスト（図８（ａ））を生成し、許可ユーザリスト保存部２２１に保存する。
【００２４】
また、ゲートウェイ２は、相手端末３０から送り込まれた許可ユーザの電話番号をインターネットへのアクセス時にアクセス元として一意に特定可能なユーザＩＤに変換し、このユーザＩＤそれぞれと払い出した（割り当てた）タグとを紐づけて、テーブル形式の許可ユーザリストとして許可ユーザリスト保存部２２１に保存する（図８（ｂ））。
また、上記払いだしたタグとコンテンツデータ所有者の連絡先（通信先）を示す対話通信起動用タグ（コミュニケーション用タグ）とを紐づけた置換タグテーブル（図９）を置換データ保存部２２２に保存する。
【００２５】
尚、上記ユーザＩＤは、通信事業者により管理されているゲートウェイ２が各許可ユーザの識別用に割り当てた英数文字列であるものとする（例えば、「ＸＹＺ１１１１２２２２」）。また、このユーザＩＤは各許可ユーザに対応して予め登録されたＩＰアドレス、ＭＡＣアドレス、メールアドレスなどであってもよい。
また、通信事業者はゲートウェイ２を利用して、登録したユーザＩＤに対応して、一意に識別可能な特別なタグを払い出すものとする。
【００２６】
相手端末３０は、ブログエントリ（コンテンツデータに対応）の作成を行い、許可ユーザの登録要求に対してゲートウェイ２により払い出されたタグを、コンテンツデータ内に挿入し、このコンテンツデータをＷｅｂサーバ３に送信（アップロード）する。
【００２７】
ゲートウェイ２は、図２に示すように、端末装置１から送り込まれた要求データ、およびＷｅｂサーバ３から送り込まれたコンテンツデータそれぞれの中継転送処理を行うコンテンツ中継手段２１１を有するデータ処理装置２１と、コンテンツデータにおけるデータ変換用の参照データを記憶する記憶装置２２を備えた構成を有する。
【００２８】
データ処理装置２１は、ウェブサーバ３からコンテンツ中継手段２１１に送り込まれたコンテンツデータを解析すると共に、そのデータ内容から予め設定された変換用データを抽出するコンテンツ解析手段２１２（データ解析部）と、端末装置１から送り込まれた要求データの内容に基づいて端末装置１の利用者（端末装置利用者）が予めアクセス許可されたユーザであるか否かを判定するユーザ判定（認証判定）を行うアクセスユーザ判定手段２１４（利用者認証部）と、アクセスユーザ判定手段２１４による認証判定が成功した場合に、通信相手リストに基づき抽出された変換用データを、端末装置利用者の通信相手先を示す通信先指定情報（対話通信先指定タグ）へと変換するタグ置換手段２１３（データ変換部）を備えている。
【００２９】
記憶装置２２は、電話、ＩＰ電話、ピアツーピア通信などの直接対話通信を行うことが許容された、通信端末の相互対応関係がリスト化された通信相手リストを記憶保持する許可ユーザリスト保存部２２１（リスト記憶部）と、上記（端末装置利用者の）通信相手先を示す通信先指定情報を記憶する置換データ保存部２２２が設定された記憶領域であり、ハーディスク・ドライブや半導体記憶デバイスにより構成されるものとする。
置換データ保存部２２２は、Ｗｅｂサーバ３から送り込まれた、データ変換がされていない元のコンテンツデータに含まれる特定のタグと、そのタグと置換されるタグ情報としての直接対話通信起動用タグとが対応付けられた置換データテーブルを記憶している。
【００３０】
コンテンツ解析手段２１２は、コンテンツ中継手段２１１で取得したＷｅｂサーバ３のコンテンツデータを解析することにより、このコンテンツデータ内に特定のタグが含まれているか否かを判定し（コンテンツデータ解析機能）、上記特定のタグが含まれている場合にはコンテンツデータから当該特定のタグを検索し抽出する（タグ検索抽出機能）。
【００３１】
タグ置換手段２１３は、コンテンツデータ解析機能により抽出されたコンテンツデータに含まれる特定のタグを、対応する直接対話通信の起動を可能とするタグ（直接対話通信起動用タグ）に置きかえる（タグ変換機能）。
タグ置換手段２１３は、具体的には、コンテンツデータ内にリンクを示すＡタグの中で電話番号を含むｔｅｌ属性情報や、メールアドレスを含むｍａｉｌｔｏ属性情報を直接対話通信起動用タグとして抽出する。
【００３２】
アクセスユーザ判定手段２１４は、コンテンツ中継手段２１１により中継転送される通信データ（例えば、コンテンツデータ）に基づき、コンテンツデータの転送先である端末装置1の利用ユーザが相手端末３０との直接対話通信が許容された利用者（許可ユーザ）であるか否かを許可ユーザリストに基づき判別する（ユーザ判定機能）。
【００３３】
これにより、タグ置換手段２１３では、上記ユーザ判定機能における判別結果として、端末装置1のユーザが相手端末３０との直接対話通信が許容された利用者（許可ユーザ）である場合には（判定成功の場合）、コンテンツデータにおける抽出された特定のタグ情報を、直接対話通信の起動用タグへと置換する。
【００３４】
尚、許可ユーザリストでは、図８（ｂ）に示すように、コンテンツに含まれる特定のタグ（ここでは、＜ＣＯＭＭ  ＩＤ＝ＸＹＺ００００１＞）それぞれに対応してデータ置換が許容されたユーザ（許可ユーザ）がリスト化されている。
タグ置換手段２１３は、許可ユーザの利用する端末装置１にコンテンツデータが転送される場合に、コンテンツ中継手段２１１で取得したコンテンツデータにおける上記特定のタグを直接対話通信起動用タグに置換する。
【００３５】
以上のように、本実施形態では、コンテンツ所有者が予め許可したユーザによる閲覧が行われた場合のみ、直接対話通信を確立することが可能なタグがコンテンツデータに挿入され、閲覧者（端末装置１）に対して提供される。
このため、端末装置１に提供されたコンテンツデータにおけるタグデータが置換されている場合、コンテンツデータの閲覧ユーザは置換されたタグデータ部分を選択指定することにより、コンテンツデータ所有者（相手端末３０）と閲覧者（端末装置１）との直接対話通信を確立することができる。
【００３６】
一方、コンテンツデータ内のタグデータが置換されていない場合は、コンテンツの閲覧者側では、直接対話通信を開始することができないため、相手端末３０側では、許可ユーザ以外からの直接対話通信を有効に抑制することが可能となる。
【００３７】
［実施形態１の動作説明］
次に、本実施形態１の動作について概説する。
まず、ゲートウェイ（通信中継装置）２は、Ｗｅｂサーバ３から送り込まれたＷｅｂページ（コンテンツデータ）を解析し予め設定された特定のタグデータを抽出し（解析工程）、相手端末３０との対話通信を行うことが許容された端末装置がリスト化された許可ユーザリストに基づきＷｅｂページの転送先としての端末装置１の利用者の認証判定を行い（認証判定工程）、この認証判定が成功した場合に、抽出された特定のタグデータを、許可ユーザリストに基づき端末装置１利用者の通信接続先を示す通信先指定情報（相手端末３０の電話番号を示すリンク情報）へと置換する（データ変換工程）。
端末装置１は、提供されたＷｅｂページに相手端末３０の電話番号を示すリンク情報が含まれている場合に、このリンク情報を選択指定することにより、相手端末３０との対話通信を開始する。
【００３８】
ここで、上記解析工程、認証判定工程、およびデータ変換工程については、その実行内容をプログラム化し、コンピュータに実行させるように構成してもよい。
また、本プログラムは、非一時的な記録媒体、例えば、ＤＶＤ、ＣＤ、フラッシュメモリなどに記録されてもよい。その場合、本プログラムは、記録媒体からコンピュータによって読み出され、実行される。
【００３９】
次に、本実施形態１の動作について詳説する。
ここでは、例えば、コンテンツデータ所有者であるユーザＡ（Ｗｅｂサーバ３）が自分のブログエントリをＷｅｂサーバ３にアップロードすることにより、このブログエントリをインターネット上に公開する。
このとき、ユーザＡは、このブログエントリを閲覧した友人（例えば、ユーザＢおよびＣとする）からエントリ記事の感想を電話で聞きたいと考えているものとする。
【００４０】
ここで、相手端末３０が、コンテンツデータとしてのブログエントリをＷｅｂサーバ３にアップロードする動作について、図３のフローチャートに基づき説明する。
【００４１】
まず、コンテンツ所有者であるユーザＡが、相手端末３０を利用して、友人２名（ユーザＢとユーザＣ）の電話番号（それぞれ０９０−１１１１−２２２２、０９０−３３３３−４４４４とする）をゲートウェイ２の記憶装置２２に対して登録する（ステップＳ１：図３）。
【００４２】
ゲートウェイ２のデータ処理装置２１は、上記２つの電話番号が自社の携帯電話番号であることを確認し、ユーザＡに対してタグデータ「＜ＣＯＭＭ  ＩＤ＝ＸＹＺ０００００１＞」を払い出す（ステップＳ２）。
ここで、タグデータ「ＸＹＺ０００００１」は一意に識別される許可ユーザの識別ＩＤ（ユーザＩＤ）であるものとする。
【００４３】
また、ゲートウェイ２のデータ処理装置２１は、登録されたデータに基づき生成したテーブル形式のタグ払い出しリスト（図８（ａ））、および許可ユーザリスト（図８（ｂ））を許可ユーザリスト保存部２２１に格納し、また、置換対象のタグ情報であるタグデータ（ここでは、ＣＯＭ  ＩＤ＝ＸＹＺ０００００１）とが対応付けられた置換タグテーブル（図９）を置換データ保存部２２２に保存する。
尚、ユーザＢとユーザＣの電話番号は、図８（ｂ）に示すように、通信事業者がゲートウェイ２内部で利用するユーザの識別子に変換して保存されているものとする。
【００４４】
ここで、相手端末３０は、ブログエントリ（コンテンツデータに対応）の作成を行い、ゲートウェイ２のデータ処理装置２１により払い出されたタグ＜ＣＯＭＭ  ＩＤ＝ＸＹＺ０００００１＞を、このブログエントリ内に挿入すると共に、このブログエントリをＷｅｂサーバ３にアップロードする（ステップＳ３）。
【００４５】
次に、ユーザＢが端末装置１を利用してユーザＡのブログエントリを閲覧し、相手端末３０との対話通信を確立する動作について、図４のフローチャートに基づき説明する。
【００４６】
まず、ユーザＢが端末装置１に対してユーザＡのブログエントリのＵＲＬを入力し、コンテンツ取得リクエスト（要求データに相当）として、第１の通信手段からゲートウェイ２に対して送信する。
【００４７】
ゲートウェイ２のコンテンツ中継手段２１１が、このコンテンツ取得リクエスト（要求データ）を取得し（ステップＳ４）、送り込まれたＵＲＬが示すＷｅｂサーバ３に対して、コンテンツ取得リクエストを転送することにより、コンテンツデータの提供要求を行う（ステップＳ５：ゲートウェイでリクエストをＷｅｂサーバに中継）。
【００４８】
ここで、Ｗｅｂサーバ３は、コンテンツ取得リクエストに含まれるＵＲＬに対応したＷｅｂページデータ（ブログエントリを含む）を、ゲートウェイ２に対して返信し（ステップＳ６）、ゲートウェイ２のコンテンツ中継手段２１１はこれを受信する（ステップＳ７）。
【００４９】
ここで、ゲートウェイ２のコンテンツ解析手段２１２は、取得したコンテンツデータとしてのＷｅｂページデータを解析し、「ＣＯＭＭ  ＩＤ＝」から始まるタグが含まれているか否かの判別を行う（ステップＳ８：特別なタグが含まれている？）。
【００５０】
Ｗｅｂページデータ内にタグ＜ＣＯＭＭ  ＩＤ＝ＸＹＺ０００００１＞が含まれている場合（イエス：ステップＳ８）、アクセスユーザ判定手段２１４は、このコンテンツデータのリクエストを行った閲覧ユーザ（端末装置１のユーザ）が閲覧許容されているか否かを判定するユーザ認証判定を行う（ステップＳ９：リクエストしたのは許可ユーザ？）。
【００５１】
ここで、許可ユーザリストには、閲覧ユーザのユーザ識別子「ＸＹＺ１１１１２２２２」が、＜ＣＯＭＭ  ＩＤ＝ＸＹＺ０００００１＞に対応して登録されているので、閲覧ユーザ（端末装置１のユーザ：ＸＹＺ０００００１）は閲覧許容されているものと判定され、タグ置換手段２１３が、コンテンツデータ内におけるタグ＜ＣＯＭＭ  ＩＤ＝ＸＹＺ０００００１＞を、置換タグテーブル（図９）に基づき、直接対話通信開始用のタグ（コミュニケーションタグ）である、＜ａ  ｈｒｅｆ＝”ｔｅｌ：０９０−５５５５−６６６６”＞Ｃａｌｌ  ｍｅ！＜／ａ＞に置換する（ステップＳ１０：タグ置換処理（特別なタグを対応するコミュニケーション開始用タグに置換））。
【００５２】
次いで、コンテンツ中継手段２１１は、上記タグ置換処理がなされたＷｅｂページ（コンテンツデータ）を端末装置１に対して送信する（ステップＳ１１）。
ここで、端末装置（携帯電話）１は、ゲートウェイ２から送り込まれたコンテンツデータとしてのＷｅｂページを出力表示する。これにより、ユーザＡのブログ記事が閲覧可能となる（ステップＳ１２）
【００５３】
ここで、端末装置１のユーザＢが、端末装置１に表示されたＷｅｂページにおける「Ｃａｌｌ  ｍｅ！」という文字列部分のリンクを選択指定（ポインタによる選択指定）する。
これにより、端末装置１における直接対話通信機能が起動され（ここでは、電話であるものとする）、これにより、第２の通信チャネルを利用した相手端末３０に直接対話通信呼（電話呼）が送信される。
【００５４】
尚、端末装置１から発呼される直接対話通信は、事業者データネットワークのゲートウェイ２、およびインターネットを介して相手端末３０に対して発呼されるＩＰ通信や、電話網、携帯電話網などを介して相手端末に対して発呼される通信であってもよい（図１）。
これにより、端末装置１および相手端末３０は直接対話通信としての電話通話接続が確立され、ユーザＢはユーザＡに対して、閲覧したブログエントリの感想等を伝えることができる。
【００５５】
以上のように、本実施形態１では、ゲートウェイ２が、ウェブコンテンツ（Ｗｅｂサイト）閲覧時にコンテンツデータ内の特定のタグの有無を解析し、コンテンツ閲覧者（端末装置１のユーザ）が、コンテンツ所有者（ユーザＡ）が許可したユーザであると判定された場合に、コンテンツに含まれる特別なタグを、端末装置１で他の特定の通信端末との対話通信を起動可能なタグ（コミュニケーション通信）に置き換えることにより、端末装置１に提供されたコンテンツデータにおけるタグデータが置換されている場合、閲覧ユーザは置換されたタグデータ部分を選択指定することにより、コンテンツデータ所有者（相手端末３０）と閲覧者（端末装置１）との直接対話通信を確立することができる。
【００５６】
一方、コンテンツデータ内のタグデータが置換されていない場合は、コンテンツの閲覧者側では、直接対話通信を開始することができないため、相手端末３０側では、許可ユーザ以外からの直接対話通信を有効に抑制することが可能となる。
このため、本実施形態では、Ｗｅｂコンテンツの所有者が許可した閲覧者だけが、閲覧中のＷｅｂコンテンツ内のデータを利用してコンテンツ所有者が利用している通信端末との対話通信を開始することが可能となる。
【００５７】
［実施形態２］
次に、本発明を実施するための実施形態２について図面を参照して説明する。
本実施形態２では、コンテンツ所有者の利用する通信端末としての端末装置１ｂを備え、ゲートウェイ４（実施形態１のゲートウェイ２）のデータ処理装置４１に電話帳情報更新手段４１６、ユーザリスト生成手段４１５、電話帳情報保存部４２３が設けられた点が、実施形態１と相違する。
尚、本実施形態２における、実施形態１と同様の動作機能を有する構成内容については、実施形態１の場合と同一の番号を付するものとする。
【００５８】
実施形態２としての対話通信制御システムは、図５に示すように、通信回線を介して送り込まれた要求データに応じて、予め記憶保持するコンテンツデータの提供行うウェブサーバ（Ｗｅｂサーバ）３と、Ｗｅｂサーバ３に対してコンテンツデータを要求するメッセージ（要求データ）を送信し、提供されたコンテンツデータを利用する端末装置１ａと、端末装置１から送り込まれた要求データ、およびＷｅｂサーバ３から提供されたコンテンツデータの中継転送を行うゲートウェイ装置（通信中継装置）４、ゲートウェイ装置４に対して予め記憶した電話帳データを登録用に送信する、コンテンツ生成者が利用している通信端末としての端末装置ｂとを備えた構成を有する。
【００５９】
端末装置１ａは、ゲートウェイ２に対して、それぞれ異なる通信チャネルを介して通信を行う異なる通信手段を有する。
また、端末装置１ａは、ゲートウェイ装置（以下「ゲートウェイ」という）４を介して提供されたコンテンツデータの出力表示を行う表示部と、端末装置１ａ利用者からの入力操作により通信相手である端末装置１ｂが指定された場合に、指定された通信端末に対して通信呼を送信する通信制御部を有する。
【００６０】
尚、端末装置1ａ利用者からの入力操作は、例えば、表示部に表示された、端末装置１ｂの連絡先リンクを選択指定するポインタ操作、クリック、タップなどの入力動作を示し、このとき、通信制御部が、端末装置１ｂに対して通信呼を送信する機能を起動することにより、端末装置１ａおよび１ｂにおける相互対話通信が確立される。
【００６１】
更に、端末装置１は、取得したコンテンツデータ内容の解析を行うと共に、このコンテンツデータにゲートウェイ４（データ処理装置４１）によって対話通信開始用のタグデータが組み込まれるデータ変換処理が行われているか否かを判定するデータ変換判定部を有する。
データ変換判定部は、コンテンツデータのデータ内容に対するデータ変換が行われた箇所を特定し、変換されたデータが対話通信開始するためのタグデータであるか否かを確認する。
ここで、コンテンツデータ内容に含まれる特定のデータ（例えば、文字データ）が対話通信開始用のタグデータへと変換されている（データ変換が行われている）場合に、通信制御部が、上述のように、そのデータ変換内容に対して選択指定動作を行うことにより、指定された通信相手（端末装置１ｂ）との対話通信機能が起動される（対話通信起動機能）。
【００６２】
これにより、端末装置1ａは、コンテンツの閲覧中に、コンテンツデータ所有者の利用する端末である端末装置１ｂとの直接対話通信を確立することができる。ここで、上記直接対話通信は、具体的には、Ｅ−ｍａｉｌ、電話、ＩＰ電話、ピアツーピア通信などを示すものとする。
【００６３】
尚、本実施形態２における端末装置１ａは、例えば、一般の携帯電話であるものとする。また、端末装置（携帯電話）１ａは、第１の通信チャネルを介して事業者データネットワーク（図１）に対して接続しているものとし、事業者データネットワークはゲートウェイ４を介してインターネットに接続されており、このため、端末装置１ａは、事業者データネットワークのゲートウェイ４およびインターネットを介してＷｅｂサーバ３と通信を行う構成であるものとする。
【００６４】
端末装置１ｂは、予め記憶保持している電話帳データを、自己に対する対話通信を許可するユーザ（例えば、ユーザＢ、Ｃ）の電話番号として、ゲートウェイ４（電話帳情報更新手段４１６）に対して送信することにより電話帳データ登録する電話帳データ登録送信機能を備えている。尚、ゲートウェイ４に対して送られる電話帳データには、端末装置１ｂの所有者（つまり、コンテンツ所有者）の識別子が含まれているものとする。
【００６５】
端末装置１ｂは、コンテンツ所有者の操作により、ブログエントリなどのコンテンツデータを作成すると共に、このコンテンツデータをＷｅｂサーバ３にアップロードするコンテンツ作成送信機能を備えていてもよい。
【００６６】
これにより、コンテンツデータ所有者は、端末装置１ｂを利用して自分のブログエントリをＷｅｂサーバ３にアップロードすることにより、このブログエントリはインターネット上に公開される。
【００６７】
ゲートウェイ４は、図５に示すように、端末装置１ａから送り込まれた要求データ、およびＷｅｂサーバ３から送り込まれたコンテンツデータそれぞれの中継転送処理を行うコンテンツ中継手段２１１を有するデータ処理装置４１と、コンテンツデータにおけるデータ変換用の参照データを記憶する記憶装置４２を備えた構成を有する。
【００６８】
データ処理装置４１は、ウェブサーバ３からコンテンツ中継手段２１１に送り込まれたコンテンツデータを解析すると共に、そのデータ内容から予め設定された変換用データを抽出するコンテンツ解析手段２１２（データ解析部）と、端末装置１ａから送り込まれた要求データの内容に基づいて端末装置１ａの利用者（端末装置利用者）の認証判定を行うアクセスユーザ判定手段２１４（利用者認証部）と、アクセスユーザ判定手段２１４による認証判定が成功した場合に、通信相手リストに基づき抽出された変換用データを、端末装置利用者の通信相手先を示す通信先指定情報（対話通信先指定タグ）へと変換するタグ置換手段２１３（データ変換部）を備えている。
【００６９】
記憶装置４２は、電話、ＩＰ電話、ピアツーピア通信などの対話通信を行うことが許容された、通信端末の相互対応関係がリスト化された通信相手リストを記憶保持する許可ユーザリスト保存部２２１（リスト記憶部）と、上記（端末装置利用者の）通信相手先を示す通信先指定情報を記憶する置換データ保存部２２２が設定された記憶領域であり、ハーディスク・ドライブや半導体記憶デバイスにより構成されるものとする。
置換データ保存部２２２は、Ｗｅｂサーバ３から送り込まれた、データ変換がされていない元のコンテンツデータに含まれる特定のタグと、そのタグと置換されるタグ情報としての直接対話通信起動用タグとが対応付けられた置換データテーブルを記憶している。
【００７０】
コンテンツ解析手段２１２は、コンテンツ中継手段２１１で取得したＷｅｂサーバ３のコンテンツデータを解析することにより、このコンテンツデータ内に特定のタグが含まれているか否かを判定し（コンテンツデータ解析機能）、上記特定のタグが含まれている場合にはコンテンツデータから当該特定のタグを検索し抽出する（タグ検索抽出機能）。
【００７１】
タグ置換手段２１３は、コンテンツデータ解析機能により抽出されたコンテンツデータに含まれる特定のタグを、対応する直接対話通信の起動を可能とするタグ（直接対話通信起動用タグ）に置きかえる（タグ変換機能）。
タグ置換手段２１３は、具体的には、コンテンツデータ内にリンクを示すＡタグの中で電話番号を含むｔｅｌ属性情報や、メールアドレスを含むｍａｉｌｔｏ属性情報を直接対話通信起動用タグとして抽出する。
【００７２】
アクセスユーザ判定手段２１４は、コンテンツ中継手段２１１により中継転送される通信データ（例えば、コンテンツデータ）に基づき、コンテンツデータの転送先である端末装置1の利用ユーザが相手端末３０との直接対話通信が許容された利用者（許可ユーザ）であるか否かを許可ユーザリストに基づき判別する（ユーザ判定機能）。
【００７３】
これにより、タグ置換手段２１３では、上記ユーザ判定機能における判別結果として、端末装置1のユーザが相手端末３０との直接対話通信が許容された利用者（許可ユーザ）である場合には（判定成功の場合）、コンテンツデータにおける抽出された特定のタグ情報を、直接対話通信の起動用タグへと置換する。
【００７４】
尚、許可ユーザリストでは、図８（ｂ）に示すように、コンテンツに含まれる特定のタグ（ここでは、＜ＣＯＭＭ  ＩＤ＝ＸＹＺ００００１＞）それぞれに対応してデータ置換が許容されたユーザ（許可ユーザ）がリスト化されている。
タグ置換手段２１３は、許可ユーザの利用する端末装置１にコンテンツデータが転送される場合に、コンテンツ中継手段２１１で取得したコンテンツデータにおける上記特定のタグを直接対話通信起動用タグに置換する。
【００７５】
更に、ゲートウェイ４のデータ処理装置４１は、許可ユーザ登録の要求元（ここでは、端末装置１ｂ）に対して、要求元のＩＤ（ここでは、電話番号）に対応付けたタグデータを払い出す。
尚、データ処理装置４１は、払い出し先としての端末装置１ｂの電話番号「０９０−５５５５−６６６６」と払い出したタグとの対応を示すタグ払い出しリスト（図８（ａ））を生成し、許可ユーザリスト保存部２２１に保存する。
【００７６】
また、ゲートウェイ４のデータ処理装置４１は、端末装置１ｂから送り込まれた許可ユーザの電話番号から成る電話帳データを取得し、記憶装置４２内に予め設定した電話帳情報保存部４２３に保存する処理を行う電話帳情報更新手段４１６を有する。
また、データ処理装置４１は、許可ユーザの電話番号を、インターネット上のアクセス元として特定可能なユーザＩＤに変換し、このユーザＩＤそれぞれと払い出した（割り当てた）タグとを紐づけて（対応付けた）、テーブル形式の許可ユーザリストとして許可ユーザリスト保存部２２１に保存するユーザリスト生成手段４１５を有する。
更に、データ処理装置４１は、上記払い出したタグとコンテンツデータ所有者の連絡先（通信先）を示す対話通信起動用タグ（コミュニケーション用タグ）とを紐づけた置換タグテーブル（図９）を置換データ保存部２２２に保存する。
【００７７】
ここで、上記ユーザＩＤは、通信事業者の管理するゲートウェイ４からコンテンツ所有者に対して付与するユーザＩＤであって、具体的には、電話番号、メールアドレスなどであってもよい。通信事業者は登録したユーザに対し、一意に識別可能な特別なタグを払い出すものとする。
【００７８】
以上のように、本実施形態２では、コンテンツ所有者が端末装置１ｂ内に予め記憶された電話帳データを許可ユーザリストとしてゲートウェイ４に登録することが可能となるため、コンテンツ所有者は許可ユーザリストの作成、および登録を行うことなく、ゲートウェイ４内の許可ユーザリストを生成、更新される。
【００７９】
［実施形態２の動作説明］
次に、上記の実施形態２の動作について説明する。
【００８０】
本実施形態２では、実施形態１の場合と同様に、コンテンツデータ所有者であるユーザＡ（Ｗｅｂサーバ３）が自分のブログエントリをＷｅｂサーバ３にアップロードすることにより、このブログエントリをインターネット上に公開する。
このとき、ユーザＡは、このブログエントリを閲覧した友人（例えば、ユーザＢおよびＣとする）からエントリ記事の感想を電話で聞きたいと考えているものとする。
【００８１】
ここでは、端末装置１ｂが、コンテンツデータとしてのブログエントリをＷｅｂサーバ３にアップロードする動作について、図６および図７のフローチャートに基づき説明する。
まず、データ処理装置４１の電話帳情報更新手段４１６が、端末装置１ｂから送り込まれた電話帳データを取得すると共に、この電話帳データおよび端末装置１ｂの所有者識別子をバックアップデータとして電話帳情報保存部４２３に保存する（ステップＳ１３：図７）。
【００８２】
尚、この電話帳データのバックアップは通信事業者により提供されるサービスとして実行され、一定時間周期で実行される、もしくは、端末装置１ｂからの要求を契機として実行される設定で会ってもよい。
【００８３】
次いで、電話帳情報更新手段４１６は、電話帳情報保存部４２３の保存情報が更新されたことをユーザリスト生成手段４１５に通知し、これに対して、ユーザリスト生成手段４１５が、更新された電話帳データから電話帳データの所有者（ここでは、コンテンツ所有者）が利用する許可ユーザリストを生成する（ステップＳ１４：図７）。
【００８４】
このとき、ユーザリスト生成手段４１５は、電話帳データに含まれる連絡先を全て許可ユーザとしてもよい。また、電話帳内の特定グループの連絡先を許可ユーザとしてもよい。
また、生成されたユーザリストは、電話帳データの所有者の識別子と紐づいた許可ユーザリストとして、許可ユーザリスト保存部２２１に保存されるものとする。
【００８５】
次に、ゲートウェイ４のデータ処理装置４１は、実施形態１におけるデータ処理装置２１と同様に、登録された電話帳データに含まれる電話番号のうち、自社の携帯電話番号に対応して、端末装置１ｂ（ユーザＡ：コンテンツ所有者）に対してタグデータ「＜ＣＯＭＭ  ＩＤ＝ＸＹＺ０００００１＞」を払い出す（ステップＳ２：図６）。
ここで、タグデータ「ＸＹＺ０００００１」は一意に識別される識別ＩＤであるものとする。
【００８６】
また、ゲートウェイ４のデータ処理装置４１は、登録されたデータに基づき生成したテーブル形式のタグ払い出しリスト（図８（ａ））、および許可ユーザリスト（図８（ｂ））を許可ユーザリスト保存部２２１に格納し、また、置換対象のタグ情報であるタグデータ（ここでは、ＣＯＭ  ＩＤ＝ＸＹＺ０００００１）とが対応付けられた置換タグテーブル（図９）を置換データ保存部２２２に保存する。
【００８７】
ここで、コンテンツ所有者は、ブログエントリ（コンテンツデータに対応）の作成を行い、ゲートウェイ４により払い出されたタグ＜ＣＯＭＭ  ＩＤ＝ＸＹＺ０００００１＞を、このブログエントリ内に挿入すると共に、このブログエントリをＷｅｂサーバ３にアップロードする（ステップＳ３：図６）。
【００８８】
尚、端末装置１aを利用してコンテンツ所有者であるユーザＡのブログエントリを閲覧し、端末装置１aおよび端末装置１ｂ（相手端末３０に対応）の対話通信を確立する動作については、上述の実施形態１の場合（図４）と同様である。
【００８９】
以上のように、本実施形態２では、Ｗｅｂコンテンツの所有者が許可するユーザが閲覧したときのみ、ゲートウェイ２でＷｅｂコンテンツにコンテンツを起点としてコミュニケーションを開始するためのタグを挿入する改変（更新、）を行うため、実施形態１の場合と同様に、Ｗｅｂコンテンツの所有者が許可する閲覧者だけが、閲覧中のＷｅｂコンテンツを起点として、Ｗｅｂコンテンツの所有者とのコミュニケーションを開始できる。
【００９０】
さらに、本実施形態２では、コンテンツ所有者が端末装置１ｂ内に予め記憶された電話帳データを許可ユーザリストとしてゲートウェイ４に登録することが可能となるため、コンテンツ所有者は許可ユーザリストの作成、および登録を行うことなく、ゲートウェイ４内の許可ユーザリストを生成、更新することが可能となる。
【００９１】
上述した実施形態については、その新規な技術的内容の要点をまとめると、以下のようになる。
尚、上記の実施形態の一部又は全部は、新規な技術として以下のようにまとめられるが、本発明は必ずしもこれに限定されるものではない。
【００９２】
（付記１）
通信データの中継を行う通信中継装置に対して接続した端末装置と、前記端末装置から前記通信中継装置を介して送り込まれた要求メッセージに応じてコンテンツデータの提供を行うウェブサーバとを備えた対話通信制御システムであって、
前記通信中継装置は、
前記ウェブサーバから前記通信データとして送り込まれた前記コンテンツデータを解析し予め設定された特定のタグデータを抽出する解析部と、
特定の通信端末との対話通信を行うことが許容された端末装置がリスト化された対話通信許可端末リストを記憶保持するリスト記憶部と、
前記通信データ内容に基づき前記端末装置利用者の認証判定を行う認証判定部と、
前記認証判定が成功した場合に、前記特定のタグデータを前記対話通信許可端末リストに基づき前記端末装置利用者の通信接続先を示す通信先指定情報へと置換するデータ変換部とを備え、
前記端末装置は、
前記提供されたコンテンツデータに前記通信先指定情報が含まれている場合に、前記通信先指定情報を利用して前記特定の通信端末との対話通信を開始する対話通信起動部を備えたことを特徴とする対話通信制御システム。
【００９３】
（付記２）
付記１に記載の対話通信制御システムにおいて、
前記認証判定部は、前記コンテンツデータの内容に基づき当該コンテンツデータが提供される前記端末装置利用者の認証判定を行うコンテンツデータ判定機能を備えたことを特徴とする対話通信制御システム。
【００９４】
（付記３）
付記１に記載の対話通信制御システムにおいて、
前記認証判定部は、前記端末装置から要求メッセージの内容に基づき前記端末装置利用者の認証判定を行う要求メッセージ判定機能を備えたことを特徴とする対話通信制御システム。
【００９５】
（付記４）
付記１に記載の対話通信制御システムにおいて、
前記通信中継装置は、前記端末装置から電話帳データが送り込まれた場合に当該電話帳データに基づき前記認証判定用のユーザリストを生成するユーザリスト生成手段を備えたことを特徴とする対話通信制御システム。
【００９６】
（付記５）
付記４に記載の対話通信制御システムにおいて、
前記ユーザリスト生成手段が、前記電話帳データに含まれる特定のグループに所属するユーザの連絡先を前記通信相手として前記通信相手リストに登録する通信相手登録機能を備えたことを特徴とする対話通信制御システム。
【００９７】
（付記６）
付記１に記載の対話通信制御システムにおいて、
前記端末装置は、前記提供されたコンテンツデータを表示する表示部と、
通信相手が指定された場合に当該通信相手に対して通信呼を送信する通信呼手段とを有し、
前記表示部に表示されたコンテンツデータにおける前記通信先指定情報が選択指定された場合に、
前記通信呼手段を起動する通信動作起動手段とを備えたことを特徴とする対話通信制御システム。
【００９８】
（付記７）
コンテンツデータを通信中継装置を介して端末装置に提供するウェブサーバを有する対話通信制御システムにあって、前記コンテンツデータに含まれる通信先指定情報を利用して前記端末装置が予め設定された通信端末との対話通信を開始する対話通信制御方法であって、
前記通信中継装置は、前記ウェブサーバから送り込まれた前記コンテンツデータを解析し予め設定された特定のタグデータを抽出し、
特定の通信端末との対話通信を行うことが許容された端末装置がリスト化された対話通信許可端末リストに基づき前記コンテンツデータの転送先としての前記端末装置利用者の認証判定を行い、
前記認証判定が成功した場合に、前記抽出された特定のタグデータを前記対話通信許可端末リストに基づき前記端末装置利用者の通信接続先を示す通信先指定情報へと置換し、
前記端末装置が、前記提供されたコンテンツデータに前記通信先指定情報が含まれている場合に、前記通信先指定情報を利用して前記特定の通信端末との対話通信を開始することを特徴とする対話通信制御方法。
【００９９】
（付記８）
コンテンツデータを通信中継装置を介して端末装置に提供するウェブサーバを有する対話通信制御システムにあって、前記端末装置が前記提供されたコンテンツデータに挿入された前記通信先指定情報を利用して前記特定の通信端末との対話通信を開始するための対話通信制御プログラムであって、
前記ウェブサーバから送り込まれた前記コンテンツデータを解析し予め設定された特定のタグデータを抽出する解析機能と、
特定の通信端末との対話通信を行うことが許容された端末装置がリスト化された対話通信許可端末リストに基づき前記コンテンツデータの転送先としての前記端末装置利用者の認証判定を行う認証判定機能と、
前記認証判定が成功した場合に、前記抽出された特定のタグデータを前記対話通信許可端末リストに基づき前記端末装置利用者の通信接続先を示す通信先指定情報へと置換するデータ変換機能と、
を前記通信中継装置の備えたコンピュータに実現させることを特徴とした対話通信制御プログラム。
【産業上の利用可能性】
【０１００】
本発明は、通信ネットワークを介して取得したコンテンツデータを利用して、異なるネットワーク上における通信ノードとの対話通信接続を行うネットワーク間対話通信システムに対して有効に適用することができる。
【符号の説明】
【０１０１】
１、１a、１ｂ  端末装置
２、４  ゲートウェイ装置
３  Ｗｅｂサーバ
２１、４１  データ処理装置
３０  相手端末
２１１  コンテンツ中継手段
２１２  コンテンツ解析手段
２１３  タグ置換手段
【図１】
2012160975.tif 000003
【図２】
2012160975.tif 000004
【図３】
2012160975.tif 000005
【図４】
2012160975.tif 000006
【図５】
2012160975.tif 000007
【図６】
2012160975.tif 000008
【図７】
2012160975.tif 000009
【図８】
2012160975.tif 000010
【図９】
2012160975.tif 000011